(57)【要約】【課題】カバー材と当該カバー材の裏側に接合された心材とから構成される建築用役物として、接合時にカバー材表面の模様に悪影響を及ぼすことなく、長期にわたって接合形状、接合強度、耐久性を維持することが可能な、安価な建築用役物の製造方法を提供する。【解決手段】鋼板からなるカバー材１と当該カバー材１の裏側に固定された鋼板製心材２とからなる建築用役物を製造する際、心材用矩形鋼板を長手方向の中央で櫛歯状に、かつ並行な切断線が互い違いに、しかもその平行部分の長さが同じになるように行い、せん断されていない他方部を順次折り曲げることにより柱ベース材の嵌合部に適した突起部を形成することにより成形した２つの分割心材２’，２”を、いずれか一方を櫛歯の１ピッチ分だけずらせて背中合わせにし、前記カバー材に固定する。  カバー材表面に凹凸模様がない場合には、ずらせる必要はない。【選択図】図５
2013147839.tif 000002
【特許請求の範囲】
【請求項１】
鋼板からなるカバー材と当該カバー材の裏側に固定された鋼板製心材とからなる建築用役物の製造方法であって、心材用矩形鋼板を長手方向の中央で櫛歯状に切断し、せん断されない他方部を順次折り曲げることにより柱ベース材の嵌合部に適した突起部を形成することにより成形した２つの分割心材を前記カバー材に固定することを特徴とする千鳥型櫛歯の心材を用いた役物の製造方法。
【請求項２】
前記心材の固定がカバー材の両端を折り曲げて圧着することによりなされる請求項１に記載の建築用部材の製造方法。
【請求項３】
心材用矩形鋼板の長手方向中央での櫛歯状切断を、長手方向に平行な切断線が互い違いに、かつその平行部分の長さが同じになるように行い、成形された２つの分割心材を、いずれか一方を櫛歯の１ピッチ分だけずらせて背中合わせにして、前記カバー材に固定する請求項１又は２に記載の建築用部材の製造方法。
【請求項４】
心材用矩形鋼板の長手方向中央での櫛歯状切断を、長手方向に平行な切断線が互い違いに、かつその両端の平行部分の長さを、中央部分の平行で均等な長さの半分となるように行い、成形された２つの分割心材を、いずれか一方を櫛歯の１／２ピッチ分だけずらせて背中合わせにして、前記カバー材に固定する請求項１又は２に記載の建築用部材の製造方法。
【請求項５】
心材用矩形鋼板を長手方向の中央で櫛歯状に切断した２つの同一形状の切断片から左右対称に成形した２つの分割心材を、前記カバー材に固定する請求項１又は２に記載の建築用部材の製造方法。
【発明の詳細な説明】
【技術分野】
【０００１】
本発明は、金属サイディング等、建物の外壁パネルの目地部、出隅部或いは入り隅部等に取付けられる建築用部材である役物の製造方法に関する。
【背景技術】
【０００２】
住宅用建物の外壁パネルには窯業製品と金属製品の２種類が使用されている。金属製品の場合、鋼板にエンボスと呼ばれる凹凸が付与され、その表面を樹脂塗装によって外壁パネルに仕上げられ、通常、金属サイディングと称されている。
金属サイディングには、建物に合わせて平坦な壁となる部分と、出隅、入隅と呼ばれる角の部分や、さらには平坦なもの同士の繋ぎ目に使用される部分に分けられる。そして、平坦な壁となる部分以外は役物とも呼ばれている。
本発明は、役物と称される建築用部材の製造方法に関するものである。
【０００３】
一般的に、平坦な壁となる外壁パネルは木製の柱に直接釘などで固定されるが、役物と称される建築用部材は、カバー材と当該カバー材の裏側に取り付けられた心材とから構成され、その心材が木製の柱に釘で取り付けられたベース材に嵌め込まれて連結され、建物の出隅、入隅或いは目地が構築されている。例えば特許文献１に見られる通りである。
そして、前記ベース材や心材を形作る素材にはアルミニウム合金や鋼材、或いは樹脂材料が使用されているが、近年、鋼板しかも耐食性に優れためっき鋼板の使用が増加している。また、役物と称される建築用部材のカバー材には、外観の意匠性を目的にレンガ模様や木目調などの凹凸が付与され、さらに外表面に樹脂塗装されためっき鋼板を素材としている。
【先行技術文献】
【特許文献】
【０００４】
【特許文献１】特開平８−１９９７８５号公報
【発明の概要】
【発明が解決しようとする課題】
【０００５】
ところで、例えば図１に見られるような、カバー材１と当該カバー材１の裏側に取り付けられた心材２とから構成される建築用部材の役物としては、可能な限り安価なものが望まれる。
従来、レンガ模様や木目調などの凹凸（目地３）が付与されたカバー材１の裏側に取り付けられる心材２は薄鋼板を用いて成形されている。例えば図２に示すように、カバー材１の目地となる段差の部分と干渉する部位４を切り取った後に曲げ線５に沿って折り曲げなどによって成形され、前記カバー材１に固定されている。
このような製造方法を採る場合、目地３となる段差の部分と干渉する部位を切り取らなければならず、材料から屑を出すことになる。材料ロスによりコストが高くなってしまう。
【０００６】
本発明は、このような問題点を解消するために案出されたものであり、カバー材と当該カバー材の裏側に接合された心材とから構成される建築用役物として、接合時にカバー材表面の模様に悪影響を及ぼすことなく、長期にわたって接合形状、接合強度、耐久性を維持することが可能な、安価な建築用役物の製造方法を提供することを目的とする。
【課題を解決するための手段】
【０００７】
本発明の千鳥型櫛歯の心材を用いた役物の製造方法は、その目的を達成するため、鋼板からなるカバー材と当該カバー材の裏側に固定された鋼板製心材とからなる建築用役物の製造方法であって、心材用矩形鋼板を長手方向の中央で櫛歯状に切断し、せん断されない他方部を順次折り曲げることにより柱ベース材の嵌合部に適した突起部を形成することにより成形した２つの分割心材を前記カバー材に固定することを特徴とする。
前記心材の固定は、カバー材の両端を折り曲げて圧着することによりなされることが好ましい。
【０００８】
より具体的には、心材用矩形鋼板の長手方向中央での櫛歯状切断を、長手方向に平行な切断線が互い違いに、かつその平行部分の長さが同じになるように行い、成形された２つの分割心材を、いずれか一方を櫛歯の１ピッチ分だけずらせて背中合わせにして、前記カバー材に固定することが好ましい。
また、心材用矩形鋼板の長手方向中央での櫛歯状切断を、長手方向に平行な切断線が互い違いに、かつその両端の平行部分の長さを、中央部分の平行で均等な長さの半分となるように行い、成形された２つの分割心材を、いずれか一方を櫛歯の１／２ピッチ分だけずらせて背中合わせにして、前記カバー材に固定してもよい。
さらにまた、心材用矩形鋼板を長手方向の中央で櫛歯状に切断した２つの同一形状の切断片から左右対称に成形した２つの分割心材を、前記カバー材に固定してもよい。
【発明の効果】
【０００９】
本発明では、鋼板からなるカバー材と当該カバー材の裏側に固定された鋼板製心材とからなる建築用役物を製造する際に、心材として、矩形鋼板を長手方向の中央で櫛歯状に切断した後、各切断片についてせん断されていない他方部を順次折り曲げることにより柱ベース材の嵌合部に適した突起部を形成した２つの分割心材を用いている。
このため、レンガ模様や木目調などの凹凸からなる目地が付与された鋼板をカバー材とした場合であっても、心材用矩形鋼板の前記目地となる段差の部分と干渉する部位を切り取る必要ななく、材料のロスを無くすことができ、結果として、建築用役物を低コストで製造することができることになる。
【図面の簡単な説明】
【００１０】
【図１】役物と称される建築用部材の、一般的な形状・構造を説明する図
【図２】建築用役物を構成する心材の、一般的な加工手順を説明する図
【図３】心材の、本発明による加工手順を説明する図（その１）
【図４】本発明による心材の概略形状を説明する図（その１）
【図５】本発明による建築用役物の形状・構造を説明する図（その１）
【図６】心材の、本発明による加工手順を説明する図（その２）
【図７】本発明による建築用役物の形状・構造を説明する図（その２）
【図８】本発明による建築用役物の形状・構造を説明する図（その３）
【発明を実施するための形態】
【００１１】
前記したように、従来、レンガ模様や木目調などの凹凸（目地３）が付与されたカバー材１の裏側に取り付けられる心材２は、薄鋼板を用いてカバー材１の目地となる段差の部分と干渉する部位４を切り取った後に折り曲げなどによって成形され、前記カバー材１に固定されている。そのため、切り取られた部分は屑となり、無駄な部分の材料費がコストアップになっている。
そこで、本発明ではカバー材１の裏側に取り付けられる心材２を、一体物から２体の分割型に変え、カバー材と固定する辺を櫛歯状にすることによって、効率的な材料取りが行え、さらに当該カバー材の目地とのなる段差の部分と干渉せずに固定することを可能にすることができたものである。
以下に、その詳細を説明する。
【００１２】
例えば、建物外壁パネルの目地部を覆うように取付けられる鋼板製の建築用役物は、図１に示されたようなカバー材１と心材２から構成され、そのカバー材１の裏側に心材２が接合されている。
心材２はカバー材１の両端を折り曲げる方法で固定されるが、このときカバー材１の目地となる段差の部分に心材２がある場合、段差の無い部分が浮いてしまい、壁となる金属サイディングとの間に隙間が生じ外観不良に繋がるだけでなく、当該カバー材１と心材２の接合強度も低くなってしまう。
そのため、図２のように心材に加工する前、もしくは加工した後に目地に接触する部分を切り取っておかなければならない。
【００１３】
そこで、図３に示すように、心材となる矩形鋼板の長手方向中央を、矩形鋼板長手方向と平行になる切断線が互い違いになるように、かつその平行切断線の長さが同じになるように櫛歯状に切断する。なお矩形鋼板の長さはカバー材の長さ以下の長さとし、幅は役物として取り付けた場合に木柱に釘などで固定した対となるベース材の嵌合部と適合した突起部が得られ、カバー材と折り曲げによって固定できる長さを合わせたものとする。
櫛歯状に切断された矩形鋼板片を２つに分け、切断されたそれぞれの鋼板片について、櫛歯部分に対し、図３に示すラインを山線にして他の部分を、まず９０度、次に例えば１２０度、６０度の順で順次折り曲げ、分割された心材２’，２”を作製する。（図４参照）
【００１４】
櫛歯部分に対して直角に曲げられた面を背にして、２つの分割心材２’，２”が対となるように背中合わせにした状態でカバー材１と合体させれば目地部用の役物が得られる。分割心材２’，２”のカバー材１への固定は、従来と同様、カバー材の両端を折り曲げる方法で行うことができる。
この際、カバー材１に横目地がなければ２つの分割心材２’，２”はそのまま背中合わせにすることができる（図５（ａ）参照）。また、カバー材１に横目地がある場合には２つの分割心材２’，２”の内のいずれか一方を櫛歯の１ピッチ分だけずらせて背中合わせにすれば、当該カバー材の目地となる段差の部分に櫛歯状の櫛がない部分が来るようにすることができ、目地とのなる段差の部分と干渉せずに固定することが可能になる（図５（ｂ）参照）。
【００１５】
図３〜５を用いた前記説明では、心材となる矩形鋼板の長手方向中央を櫛歯状に切断した切断線が、矩形鋼板長手方向と平行になる部分が互い違いに、かつ平行切断線の長さが全て同じになるようにしている。
しかしながら、このような態様に限定されることはなく、例えば図６に示すように、両端の平行切断線の長さが、中央部分の平行切断線の長さの半分となるようにしたものであってもよい。
この場合、カバー材１に横目地があるカバー材に用いるには、図７に示すように、２つの分割心材２’，２”の内のいずれか一方を櫛歯の１／２ピッチ分だけずらせて背中合わせにすれば、当該カバー材の目地となる段差の部分に櫛歯状の櫛がない部分が来るようにすることができ、目地とのなる段差の部分と干渉せずに固定することが可能になる。
【００１６】
さらに、図８に示すように、心材用矩形鋼板を長手方向の中央で櫛歯状に切断して得られた鋼板片のうち、同一形状の２つの鋼板片から左右対称となるように成形した２つの分割心材とした場合には、長手方向端部の長さを揃えた状態で、当該カバー材の目地となる段差の部分に櫛歯状の櫛がない部分が来るようにすることができ、目地とのなる段差の部分と干渉せずに固定することが可能になる。図３や図６のように心材用矩形鋼板を長手方向の中央で櫛歯状に切断した場合でも、一方の鋼板片を１８０°回転させれば他方の鋼板片と同一形状となるため、２つの分割心材が左右対称となるように成形することができる。
なお、上記説明では、心材となる矩形鋼板を櫛歯状に切断した後に、曲げ加工により突起部を成形しているが、これに限られるものではなく、矩形鋼板に突起部を成形した後に、櫛歯状に切断してもよい。
【００１７】
以上、平坦な外壁パネル同士の繋ぎ目に使用されジョイントカバーとしての役物を製造する形態について説明してきたが、出隅カバーや入隅カバーとして用いられる役物も同様に製造することができる。
出隅カバーや入隅カバーとして用いられる役物は、図１等で説明してきたカバー材１が概略直角になるように曲げられているので、図４，５，７で説明してきた分割心材２’，２”の櫛歯部分に対して直角に曲げられた面を、櫛歯部分に対して略４５度或いは１３５度になるように曲げることで十分である。その後のカバー材と分割心材との固定方法も同じで構わない。
【実施例】
【００１８】
平坦な壁となる外壁パネル同士の継ぎ目に使用される部分の役物を作製するため、エンボスが付与され、その表面は樹脂塗膜、裏面はＺｎ−Ａｌ系めっき層であるカバー材と、当該カバー材に一面が櫛歯状にせん断された鋼板製心材を２本用いて役物を製作した。
カバー材の寸法は板厚0.27mm、幅120mm、長さ300mm、長さ方向に50mmピッチで幅10mmの目地となる段差がある外観のものを使用した。当該カバー材の裏側に固定される鋼板製心材は板厚0.4mm、幅110mm、長さ280mmの鋼板の中央部を長さ50mm、幅25mmの櫛歯状に切断し、櫛歯状にせん断されていない先方部30mmを、２つが対となるように背中合わせにした状態で木製の柱に釘などで打ちつけられた対となるベース材と連結するための嵌合部に適合するように突起部に形成した。
【００１９】
また、カバー材と鋼板製心材の固定は、櫛歯状に切断された辺が両側となるように突起部を背中合わせにし、櫛歯がないところに目地となる段差がくるように設置しカバー材の両側10ｍｍを折り曲げて櫛歯状の辺を固定した。
この結果、鋼板製心材を小さい鋼板から屑を出さずに得られることで、廉価な役物が得られた。
【図１】
2013147839.tif 000003
【図２】
2013147839.tif 000004
【図３】
2013147839.tif 000005
【図４】
2013147839.tif 000006
【図５】
2013147839.tif 000007
【図６】
2013147839.tif 000008
【図７】
2013147839.tif 000009
【図８】
2013147839.tif 000010